(57)【要約】      （修正有）【課題】携帯用歯ブラシや歯磨き等を収納する容器において、収納・使用の便宜性が高く、衛生的にも優れた携帯用歯ブラシの収納構造を提供する。【解決手段】歯磨き、デンタルフロス及び歯間ブラシなどの補助洗浄道具が収納される収納空間の入口１２にワンタッチ開閉される栓２０を結合して、収納及び取り出しによる収納便宜性を向上させ、前記収納空間に隔壁１３を形成して区切る。これにより、補助洗浄道具の分離収納による使用便宜性を向上させ、特に、栓をした状態で収納空間を通気孔２６を介して自然換気して補助洗浄道具の携帯保管による衛生性を向上させることができる。【選択図】図２
0003165683.tif 000002
【実用新案登録請求の範囲】
【請求項１】
ブラシ毛と、
前記ブラシ毛に首部を通じて連結され、内部には補助洗浄道具が収納される収納空間が形成された把持部と、
前記収納空間の入口を開閉するための栓と、からなる携帯用歯ブラシにおいて、
前記栓は、収納空間を露出させるための通路が形成された固定栓と、前記固定栓にヒンジ結合されてワンタッチ開閉される開閉栓とを備え、前記収納空間は、補助洗浄道具が分離されて収納されるように隔壁によって区切られることを特徴とする携帯用歯ブラシの収納構造。
【請求項２】
前記開閉栓には、収納空間を自然換気して乾燥させるように通気孔が形成されたことを特徴とする請求項１に記載の携帯用歯ブラシの収納構造。
【請求項３】
前記固定栓は、通路の一部を仕切りによって閉鎖するが、前記仕切りには通気孔と連通する補助通気孔を形成して、閉鎖された収納空間を自然換気して乾燥させることを特徴とする請求項１または請求項２に記載の携帯用歯ブラシの収納構造。
【請求項４】
前記仕切りには離脱防止部が突設されることを特徴とする請求項３に記載の携帯用歯ブラシの収納構造。
【請求項５】
前記開閉栓は、周縁部の一部が突出して形成されたことを特徴とする請求項１または請求項２に記載の携帯用歯ブラシの収納構造。
【考案の詳細な説明】
【技術分野】
【０００１】
本考案は、携帯用歯ブラシの収納構造に係り、さらに詳細には、旅先で主に使用する携帯用歯ブラシ、歯磨き、デンタルフロス及び歯間ブラシなどの補助洗浄道具を収納するための収納空間を形成するが、収納構造を改善して収納便宜性、使用便宜性及び衛生性を向上させるための携帯用歯ブラシの収納構造に関する。
【背景技術】
【０００２】
一般的に、歯ブラシは歯を磨く用途として使用している。すなわち、歯ブラシに歯磨きをつけて歯を磨くことによって、食べ物や果物を食べた後に歯間または歯と歯ぐきとの間に残っている食べかすをとり除いてプラーク（ｐｌａｑｕｅ）または各種の有害なバクテリアなどをとり除く。
【０００３】
したがって、前記歯ブラシは、歯磨きと共に保管する必要があり、家庭や事務室では保管による不便さがほとんどないが、野外または旅先では歯ブラシと歯磨きを共に携帯・保管せねばならないという不便さがあり、また紛失の危険がある。
携帯用歯ブラシは、このような歯ブラシの問題点を解消して主に野外または旅先で使用する洗面用具であって、歯ブラシと歯磨きを同時に容易に携帯・保管することができるため広く使用されている。
【０００４】
このような携帯用歯ブラシは、図１に示すように、ブラシ毛１、把持部２及びこれらを連結する首部３から構成され、前記ブラシ毛１は、主にカバー４によって保護される。
このとき、前記把持部２の内部には歯磨き、デンタルフロス及び歯間ブラシなどの補助洗浄道具を収納するように収納空間５が形成されており、この収納空間５は栓６によって開閉される。
【０００５】
したがって、普段は、補助洗浄道具の収納された収納空間５は栓６によって密閉され、洗浄時には、前記栓６を開放した後、収納空間から補助洗浄道具を取り出して歯を磨く。
【考案の概要】
【考案が解決しようとする課題】
【０００６】
しかし、従来の携帯用歯ブラシの収納構造は、収納空間の入口から栓を完全に分離または結合することで補助洗浄道具を収納するため、収納及び取り出しによる不便さがある。
また、収納空間に補助洗浄道具を共に収納するため、必要な補助洗浄道具のみを取り出すことが難しく、また、デンタルフロスの場合には、歯磨きまたは歯間ブラシと共に縺れている可能性が高いため管理し難いという問題点がある。
【０００７】
したがって、本考案の目的は、前記のような問題点を解決して、デンタルフロス、歯磨き及び歯間ブラシなどの補助洗浄道具の収納及び取り出しによる収納便宜性を向上させ、この補助洗浄道具を分離して保管することにより使用便宜性を向上させ、さらに衛生性を向上させるところにある。
【０００８】
本考案の他の目的は、収納空間の入口にワンタッチ開閉される栓を結合させて、補助洗浄道具の収納及び取り出しによる収納便宜性を向上させることができる携帯用歯ブラシの収納構造を提供するところにある。
【０００９】
本考案のさらに他の目的は、収納空間を隔壁によって区切って補助洗浄道具を分離して収納し、これにより、必要な補助洗浄道具のみを簡単に取り出して使用することができる携帯用歯ブラシの収納構造を提供するところにある。
【００１０】
本考案のさらに他の目的は、収納空間を自然換気して、収納された補助洗浄道具の衛生状態が低下することを防止することができる携帯用歯ブラシの収納構造を提供するところにある。
【課題を解決するための手段】
【００１１】
前記のような本考案の目的は、ブラシ毛と、前記ブラシ毛に首部を通じて連結され、内部には補助洗浄道具が収納される収納空間が形成された把持部と、前記収納空間の入口を開閉するための栓と、からなる携帯用歯ブラシにおいて、前記栓は、収納空間を露出させるための通路が形成された固定栓と、前記固定栓にヒンジ結合されてワンタッチ開閉される開閉栓とを備え、前記収納空間は、補助洗浄道具が分離されて収納されるように隔壁によって区切られる。
【考案の効果】
【００１２】
前記のような本考案の構成によれば、固定栓及び開閉栓を備えてワンタッチで開閉できる栓を収納空間の入口と結合させることによって、開閉栓の簡単なワンタッチ動作で入口を開閉することができるため、補助洗浄道具の収納及び取り出しによる収納便宜性を向上させることができる。
【００１３】
また、収納空間を隔壁によって区切って補助洗浄道具を分離して収納することにより、必要な補助洗浄道具のみを簡単に取り出して使用することができるため、使用便宜性を向上させることができ、特に、仕切りによってデンタルフロス及び歯間ブラシの収納された収納空間の一部を閉鎖することによって、補助洗浄道具を便利に携帯することができる。
【００１４】
さらに、栓に形成された通気孔により、洗浄過程及び補助洗浄道具を収納する過程で収納空間に浸透した水分を排出すると共に自然換気して乾燥させることによって、収納された補助洗浄道具の衛生状態が低下することを防止することができる。
【図面の簡単な説明】
【００１５】
【図１】従来技術による携帯用歯ブラシを示す分解斜視図である。
【図２】本考案に係る携帯用歯ブラシの収納構造の一部を拡大して示す分解斜視図である。
【図３】本考案に係る携帯用歯ブラシの収納構造の一部を切開して示す断面図である。
【考案を実施するための形態】
【００１６】
以下、添付図面を参照して本考案の好ましい実施形態を詳細に説明すれば次の通りである。
【００１７】
図２は、本考案に係る携帯用歯ブラシの収納構造の一部を拡大して示す分解斜視図である。図２に示すように、把持部１０の内部に形成された収納空間１１が隔壁１３によって区切られ、この収納空間１１の入口１２には固定栓２１及び開閉栓２２からなる栓２０が結合して開閉される。
【００１８】
図３は、本考案に係る携帯用歯ブラシの収納構造の一部を切開して示す断面図である。図３に示すように、収納空間１１の入口を開閉するための栓２０の内部構造及び動作を示す。
【００１９】
すなわち、図２及び図３に示すように、携帯用歯ブラシの収納構造は、把持部１０の内部に補助洗浄道具が収納される収納空間１１が形成され、前記収納空間１１の入口１２には栓２０が結合されて開閉される。
【００２０】
ここで、前記収納空間１１に収納される補助洗浄道具には、歯と歯ぐきとの間に挟まったカスをとり除くために使用されるデンタルフロス、歯ブラシにつけて使用する歯磨き及び歯間に挟まったカスをとり除くために使用される歯間ブラシがあり、その他に歯を磨くときに必要なものを含むことができる。
【００２１】
本考案に係る栓２０は、前記補助洗浄道具が収納される収納空間１１の入口１２に結合されて、前記収納空間１１を開閉する一種の開閉手段であり、固定栓２１と、前記固定栓２１にヒンジ結合されてワンタッチ開閉される開閉栓２２を備える。
【００２２】
すなわち、前記固定栓２１は、収納空間１１に補助洗浄道具が収納及び取り出されるように通路２３が形成されており、前記収納空間１１の入口１２に挿入されて結合されるか、または嵌合されるが、本考案の実施形態では嵌合されることにする。
【００２３】
このような固定栓２１にヒンジ結合された開閉栓２２は、普段は固定栓２１を密閉しており、使用時には前記固定栓２１からワンタッチ開放になり、補助洗浄道具が収納空間１１に収納されたり、または収納空間１１から取り出されたりする。
【００２４】
このような開閉栓２２のワンタッチ開閉のために、固定栓２１には、収納空間１１の入口１２への嵌合方向の逆方向に案内部２４が突設され、前記開閉栓２２の内側には前記案内部２４を収容するための収容空間２５が形成される。
【００２５】
したがって、前記固定栓２１及び開閉栓２２からなる栓２０を入口１２に嵌合した状態で前記開閉栓２２をワンタッチ開閉することにより、普段は収納空間１１に補助洗浄道具を収納し、使用時には収納空間１１から補助洗浄道具を取り出して使用する。
【００２６】
本考案に係る収納空間１１は、収納される補助洗浄道具を分離して収納するように隔壁１３によって区切られ、これにより、補助洗浄道具がお互いにもつれることによって取り出し及び保管に不便さが発生することを防止する。
【００２７】
本実施形態では、収納空間１１にＴ字状の隔壁１３が形成されているが、これは一例に過ぎず、前記収納空間１１を区切るための隔壁１３の形状は消費者の趣向及び設計変更によって変わりうる。
【００２８】
すなわち、このような隔壁１３を収納空間１１に形成することにより、補助洗浄道具を区切られた収納空間１１に分離して保管し、特に、デンタルフロスの場合、分離して保管されることによって、他の補助洗浄道具ともつれることがないため、収納及び取り出しが便利である。
【００２９】
一方、本考案に係る開閉栓２２には、収納空間１１を自然換気して乾燥させるための通気孔２６が形成される。
【００３０】
前記通気孔２６は、前記開閉栓２２を通じて収納空間１１を密閉する過程で、乾燥していないままで収納された補助洗浄道具を完全に乾燥させ、この補助洗浄道具を収納する過程で浸透された水分を排出させるためのものであって、好ましくは、一対の通気孔２６を形成して吸気及び排気を円滑に行うことができる。
【００３１】
さらに、本考案に係る固定栓２１には、収納空間１１を外部に露出させるための通路２３の一部を閉鎖するための仕切り２７が形成されるが、それは、デンタルフロスや歯間ブラシの使用如何を見せたくないユーザを配慮するためのものである。
【００３２】
すなわち、前記通路２３の一部を仕切り２７によって閉鎖する場合、前記収納空間１１に収納されているデンタルフロスや歯間ブラシを外部に露出させないことにより、その使用如何を見せたくないユーザが便利に携帯することができる。
【００３３】
前記仕切り２７には、通気孔２６と連通する補助通気孔２８を形成することにより、収納されているデンタルフロスや歯間ブラシの衛生に問題を起こさないことが好ましい。
【００３４】
また、前記仕切り２７の後側、すなわち、入口１２側には離脱防止部２９が突設され、これにより、本考案に係る栓２０が把持部１０から離脱することにより、収納されている補助洗浄道具が外部に離脱することを防止することができる。
【００３５】
したがって、このような本考案に係る携帯用歯ブラシの収納構造により、歯を磨く過程で必要なデンタルフロス、歯磨き及び歯間ブラシを開閉栓２２のワンタッチ開閉で簡単に収納及び取り出すことにより、収納便宜性はもとより、収納空間１１を区切ることによって使用便宜性も向上させることができる。
【００３６】
一方、本考案に係る開閉栓２２は、その周縁部の一部が突出して形成されることにより、前記開閉栓２２のワンタッチ開閉が円滑に行われることができる。本考案では開閉栓２２の周縁部に突出して形成された突起２２ａとして示されている。
【符号の説明】
【００３７】
１０  把持部
１１  収納空間
１２  入口
１３  隔壁
２０  栓
２１  固定栓
２２  開閉栓
２３  通路
２４  案内部
２５  収容空間
２６  通気孔
２７  仕切り
２８  補助通気孔
２９  離脱防止部
【図１】
0003165683.tif 000003
【図２】
0003165683.tif 000004
【図３】
0003165683.tif 000005